(57)【要約】【課題】強固なブリッジ現象の発生を回避しながら圧縮効率を高めるとともに、高い排出能力を得ることのできる塵芥貯留排出装置を提供する。【解決手段】一端に投入部２１が他端に排出部２２が設けられ投入部２１から投入された塵芥を貯留するドラム２がその軸芯を中心にして回転自在に設けられるとともに、ドラム２の回転動作により塵芥を投入部２１側から排出部２２側に搬送する搬送スクリュー３がドラム２の内周壁に沿って設けられ、さらに、ドラム２の軸芯部には搬送スクリュー３を排出部２２側から挿通して配置された第２スクリュー４が設けられ、第２スクリュー４は、排出部２２を閉塞する閉塞位置と、スクリュー部の基端部分が排出部２２から外方に突出されて排出部２２を開放する開放位置との間で軸芯方向にスライド可能に構成されている。【選択図】  図１
2005089156.tif 000002
【特許請求の範囲】
【請求項１】
一端に投入部が他端に排出部が設けられ当該投入部から投入された塵芥を貯留するドラムがその軸芯を中心にして回転自在に設けられるとともに、該ドラムの回転動作により塵芥を投入部側から排出部側に搬送する搬送スクリューがドラムの内周壁に沿って設けられ、さらに、上記ドラムの軸芯部には上記搬送スクリューを排出部側から挿通して配置された第２スクリューが設けられ、該第２スクリューは、上記排出部を閉塞する閉塞位置と、スクリュー部の基端部分が排出部から外方に突出されて当該排出部を開放する開放位置との間で軸芯方向にスライド可能に構成されたことを特徴とする塵芥貯留排出装置。
【請求項２】
前記第２スクリューは、塵芥の貯留時には当該塵芥を排出部側から投入部側に搬送するとともに、塵芥の排出時には当該塵芥を投入部側から排出部側に搬送するように構成されたことを特徴とする請求項１記載の塵芥貯留排出装置。
【発明の詳細な説明】
【技術分野】
【０００１】
本発明は、塵芥を貯留するとともに、この貯留した塵芥を排出する塵芥貯留排出装置に関するものである。
【背景技術】
【０００２】
従来、この種の塵芥貯留排出装置としては、一端に投入部が他端に排出部が設けられ当該投入部から投入された塵芥を貯留するドラムがその軸芯を中心にして旋回自在に設けられるとともに、該ドラムの旋回により塵芥を投入部側から排出部側に搬送する搬送スクリューがドラムの内周壁に沿って設けられ、さらに、上記ドラムの軸芯部に上記搬送スクリューを挿通して配置された第２スクリューが設けられたものが提供されている。
【０００３】
そして、塵芥の貯留時においては、投入部を通じてドラム内に投入された塵芥を排出部側に搬送しながら当該塵芥を圧縮して効率良く貯留するとともに、塵芥の排出時には投入部を開放した後搬送スクリュー及び第２スクリューにより当該投入部を通じて排出するようにしていた（例えば、特許文献１参照）。
【特許文献１】特開２００３−１２１１０号公報
【発明の開示】
【発明が解決しようとする課題】
【０００４】
しかしながら、上記従来の塵芥貯留排出装置では、搬送スクリュー及び第２スクリューにより塵芥を排出部側に搬送し塵芥の圧縮効率を高めてはいるものの、排出部側だけへの圧縮では却って強固なブリッジ現象を引き起し排出時の障害になる虞があった。
【０００５】
また、第２スクリューはドラム内に配置された状態のままであり、塵芥の排出は事実上は搬送スクリューが担っており、この結果、排出部を通じての塵芥の排出能力にも限界があった。
【０００６】
本発明は、上記問題点に鑑みてなされたもので、その目的とするところは、投入した塵芥を第２スクリューにより循環させながら当該塵芥を圧縮することにより強固なブリッジ現象の発生を回避しながら圧縮効率を高めるとともに、塵芥の排出時には第２スクリューをスライドさせてその一部を排出部から外部に配置することで、高い排出能力を得ることのできる塵芥貯留排出装置を提供することにある。
【課題を解決するための手段】
【０００７】
上記の目的を達成するため、請求項１に係る発明の塵芥貯留排出装置は、一端に投入部が他端に排出部が設けられ当該投入部から投入された塵芥を貯留するドラムがその軸芯を中心にして回転自在に設けられるとともに、該ドラムの回転動作により塵芥を投入部側から排出部側に搬送する搬送スクリューがドラムの内周壁に沿って設けられ、さらに、上記ドラムの軸芯部には上記搬送スクリューを排出部側から挿通して配置された第２スクリューが設けられ、該第２スクリューは、上記排出部を閉塞する閉塞位置と、スクリュー部の基端部分が排出部から外方に突出されて当該排出部を開放する開放位置との間で軸芯方向にスライド可能に構成されたものである。
【０００８】
請求項２に係る発明の塵芥貯留排出装置は、前記第２スクリューは、塵芥の貯留時には当該塵芥を排出部側から投入部側に搬送するとともに、塵芥の排出時には当該塵芥を投入部側から排出部側に搬送するように構成されたものである。
【発明の効果】
【０００９】
本発明によれば、スクリュー部の基端部分を排出部から外方に突出させた状態で塵芥の排出を行うことで、排出部から塵芥を円滑に排出することができ、これにより排出能力の向上を図ることができる。
【発明を実施するための最良の形態】
【００１０】
以下、本発明の実施の形態について図面を参照して説明する。
【００１１】
図１は、本発明に係る塵芥貯留排出装置の概略構成を示している。
【００１２】
この塵芥貯留排出装置１は、ドラム２と、該ドラム２内に設けられた搬送スクリュー３と、第２スクリュー４とを備えている。
【００１３】
ドラム２は、一端（図１において左端側）に投入部２１が設けられるとともに、他端に開口された排出部２２が設けられている。
【００１４】
投入部２１は、ドラム２内に通じるシュート２３の外部開口に投入蓋２４が開閉自在に設けられてなり、投入蓋２４の開放により塵芥をシュート２３を通じてドラム２内の底部に投入するようになされている。
【００１５】
このドラム２は、その両端底部が左右一対の支持ローラ（図示省略）によりその軸芯を中心にして回転自在に支持されており、図示しない駆動装置より回転駆動するように構成されている。
【００１６】
一方、搬送スクリュー３は、上記ドラム２の内壁に沿ってその一端から他端に亘って設けられ、ドラム２の回転動作によりドラム２に投入された塵芥を排出部２２側に搬送するよう構成されている。
【００１７】
また、第２スクリュー４は、ドラム２の軸芯部にその排出部２２側から上記搬送スクリュー３を挿通する形で、且つその基端が排出部２２から外方に突出して配置されている。
【００１８】
この第２スクリュー４の基端には駆動モータ４１が連結されており、駆動モータ４１により第２スクリュー４が正逆方向に回転自在になされている。この駆動モータ４１は、後述する開閉蓋４２と一体に設けられた取付台４３上に配置されている。
【００１９】
さらに、第２スクリュー４の基端部には閉塞蓋４２が設けられている。開閉蓋４２は、後述するスライド機構５による第２スクリュー４のスライドによって排出部２２を閉塞する閉塞位置と、この排出部２２から他端外方に移動して当該排出部２２を開放する開放位置（図２参照）とに配置されるようになされている。
【００２０】
そして、このように構成された第２スクリュー４は、スライド機構５によってその軸芯方向にスライド可能に構成されている。つまり、第２スクリュー４は、開閉蓋４２とともにそのスライド動作により上述した閉塞位置と開放位置とに配置される。
【００２１】
スライド機構５は、図３に示すように、ドラム２の他端に設けられた左右一対のガイドレール５１、５１を備え、駆動装置５２により上記開閉蓋４２の両側部に連結されたローラ４４がガイドレール５１、５１に沿って移動することで、駆動モータ４１を含む第２スクリュー４全体をその軸芯方向にスライドさせるように構成している。
【００２２】
駆動機構５２は、具体的には、各ガイドレール５１、５１の内側前後に設けられたスプロケット５３ａ、５３ｂにチェーン５３ｃがそれぞれ巻回されており、これらチェーン５３ｃに図４に示すように開閉蓋４２の両側部がそれぞれ連結されている。そして、後側左右のスプロケット５３ｂは、同一の連動軸５４に一体的に設けられており、連動軸５４が図１に示すようにスプロケット５５ａ、５５ｂ、チェーン５５ｃを介して駆動モータ５６の出力軸に連繋されている。なお、駆動モータ５６は、左右のガイドレール５１、５１の後端部上に亘って設けられた取付台上に配置されている。
【００２３】
従って、駆動モータ５６の駆動により連動軸５４を正逆方向に回転駆動させることで、スプロケット５３ｂ、５３ａを介してチェーン５３ｃを正逆方向に循環駆動させ、これによって当該チェーン５３ｃに連結された開閉蓋４２を通じて第２スクリュー４全体をガイドレール５１に沿って上述したようにスライドさせることができる。
【００２４】
なお、第２スクリュー４全体をスライドさせて開閉蓋４２を開放位置に配置した状態では第２スクリュー４のスクリュー部の基端部分が排出部２２から外方に突出して配置されることになる。
【００２５】
次に、このように構成された塵芥貯留排出装置による塵芥の貯留及び排出動作について説明する。
【００２６】
まず、投入蓋２４を開放しシュート２３を通じてドラム２内に塵芥を投入する。そして、投入された塵芥はドラム２の回転による搬送スクリュー３の作用により当該ドラム２内において排出部２側に搬送される。この際、第２スクリュー４は、塵芥を排出部２２側から投入部２１側に搬送するように回転しており、上記搬送スクリュー３で排出部２２側に搬送されてくる塵芥を再び投入部２１側に搬送させることで、ドラム２内の塵芥を循環させながら圧縮して貯留していく。これにより塵芥をドラム２に効率良く貯留することができるとともに、循環作用によってブリッジ現象の発生を回避することができ、後述する塵芥の排出を円滑に行うことができる。
【００２７】
また、投入部２１から塵芥をドラム２の底部に導入するようにしているため、投入部２１の塵芥投入位置を極力低くすることができ、これにより塵芥の投入が容易になりバリアフリーにも対応することができる。
【００２８】
なお、ドラム２及び第２スクリュー４は、例えば投入蓋２４の開閉動作などに連動して間欠的に作動させるようにしてもよいし、必要に応じては連続的に作動させるようにしてもよい。
【００２９】
そして、上述のようにしてドラム２内に貯留された塵芥を排出する場合には、まず、第２スクリュー４全体をスライド機構５によりスライドさせて開閉蓋４２を閉塞位置から開放位置に配置する。この第２スクリュー４のスライドは、第２スクリュー４を前述とは反対の排出方向に回転させるとともに、ドラム２を回転作動させながら行うのが好ましい。
【００３０】
これによりドラム２内の塵芥は、搬送スクリュー３による排出部２２側への搬送作用と、第２スクリュー４による排出作用によって開口された排出部２２から外部に排出される。この排出部２２での塵芥の排出は、第２スクリュー４のスクリュー部の基端部分が排出部２２から所定長さ突出した状態で行われており、これにより搬送スクリュー３による排出作用と相まって開閉蓋４２の開放により大きく開口された排出部２２から塵芥を円滑に排出することができ、排出能力の向上を図ることができる。
【００３１】
なお、ドラム２に塵芥が満杯に貯留された場合には、これ以上の塵芥の投入を禁止する必要がある。この手段としては、例えば投入蓋２４の開閉回数をカウントして所定の回数に達すれば投入蓋２４を閉塞状態でロックして開放を禁止するようにすればよい。つまり、投入蓋２４の一回の開放による塵芥の投入可能量から全体の投入量を概算できるので、これをドラム２の貯留容積と照らし合わせることによって塵芥が満量に達するであろう投入蓋２４の開閉回数を設定すればよい。また、例えば第２スクリュー４を駆動させる駆動モータ４１に作用する負荷に基づいて塵芥の満量を検知するようにしてもよく、さらに他の手段により満量を検知するようしてもよい。
【００３２】
なお、上述した実施形態は、あくまでも本発明の好適な実施態様を示すものであって、本発明はこれに限定されることなく、その範囲内において種々設計変更可能である。
【００３３】
例えば、第２スクリュー４をスライドさせる駆動機構５２として、スプロケット５３ａ、５３ｂ、チェーン５３ｃ及び駆動モータ５６などで構成したものについて説明したが、この他にパワーシリンダやボールスクリューなどを用いたものであってもよい。
【図面の簡単な説明】
【００３４】
【図１】本発明の塵芥貯留排出装置の概略構成を示す側面図である。
【図２】第２スクリューを外方にスライドさせた状態の塵芥貯留排出装置を示す側面図である。
【図３】第２スクリューのスライド機構を示す平面図である。
【図４】同じくスライド機構の一部を示す斜視図である。
【符号の説明】
【００３５】
１  塵芥貯留排出装置
２  ドラム
２１  投入部
２２  排出部
３  搬送スクリュー
４  第２スクリュー
４２  開閉蓋
５  スライド機構
【図１】
2005089156.tif 000003
【図２】
2005089156.tif 000004
【図３】
2005089156.tif 000005
【図４】
2005089156.tif 000006